(57)【特許請求の範囲】
【請求項１】
ワイヤレス媒体の単一のチャネルを通した同時送信を調整する方法であって、前記方法は、
第１の基本サービスセット（ＢＳＳ）に関連付けられた第１のアクセスポイントが、第２のＢＳＳに関連付けられた第２のアクセスポイントと同時にカウントダウンプロシージャを実行することと、ここにおいて、前記第１のアクセスポイントおよび前記第２のアクセスポイントは、それぞれ前記第１のアクセスポイントおよび前記第２のアクセスポイントからの分散型多入力および多出力（ＭＩＭＯ）通信の同時送信を開始することが可能であり、前記分散型ＭＩＭＯ通信は、前記第２のＢＳＳ中に含まれる１つまたは複数のワイヤレス局と前記第２のアクセスポイントとの間での第２の通信を容易にするように構成された第１の通信を前記第１のアクセスポイントが前記第２のアクセスポイントに送信することを備える、
前記第２のアクセスポイントの前に前記カウントダウンプロシージャを完了したことに応答して、前記同時送信が第１のフレームの受信の所定の時間後に生じることになることを示す前記第１のフレームを、前記第１のアクセスポイントから前記第２のアクセスポイントに送信することと、
前記単一のチャネルがアイドル状態であると前記第１のアクセスポイントが決定することと、
前記所定の時間後に、前記分散型ＭＩＭＯ通信のためのデータを、前記第１のアクセスポイントから前記第２のアクセスポイントと同時に、前記単一のチャネルを通して送信することと
を備える、方法。
【請求項２】
前記第１のフレームを前記第１のアクセスポイントが生成すること
をさらに備える、請求項１に記載の方法。
【請求項３】
前記所定の時間が、
前記第１のアクセスポイントと前記第２のアクセスポイントとによって設定される、または、
ショートインターフレームスペース（ＳＩＦＳ）
のうちの少なくとも１つである、請求項２に記載の方法。
【請求項４】
前記第１のフレームを前記第１のアクセスポイントが生成することと
をさらに備える、請求項１に記載の方法。
【請求項５】
前記第１のフレームに応答するワイヤレスデバイスのセットと、
アクセスカテゴリと、
チャネル帯域幅と、
ダウンリンク物理レイヤコンバージェンスプロシージャ（ＰＬＣＰ）プロトコルデータユニット（ＰＰＤＵ）の持続時間と
のうちの少なくとも１つを示す情報を含むように前記第１のアクセスポイントが前記第１のフレームを生成することをさらに備える、請求項１に記載の方法。
【請求項６】
前記第１のアクセスポイントが前記第１のフレームを送信するであろうと、前記第１のアクセスポイントと前記第２のアクセスポイントとの間での１つまたは複数の通信に基づいて確立すること
をさらに備える、請求項１に記載の方法。
【請求項７】
前記第１のアクセスポイントと前記第２のアクセスポイントとが前記単一のチャネルを通して同時に送信するであろう時間を前記第１のアクセスポイントが決定すること
をさらに備える、請求項１に記載の方法。
【請求項８】
前記第１のアクセスポイントと前記第２のアクセスポイントとを、基本サービスセット（ＢＳＳ）識別子と局アドレスとのうちの少なくとも１つである対応する識別子を介して識別するように、前記第１のフレームを生成すること
をさらに備える、請求項７に記載の方法。
【請求項９】
ワイヤレス媒体の単一のチャネルを通した同時送信を調整するための装置であって、前記装置は、第１の基本サービスセット（ＢＳＳ）に関連付けられ、
前記装置は、１つまたは複数のプロセッサと、
前記１つまたは複数のプロセッサによって実行されたときに、前記装置に、
第２のＢＳＳに関連付けられたアクセスポイントと同時にカウントダウンプロシージャを実行することと、ここにおいて、前記装置および前記アクセスポイントは、それぞれ前記装置および前記アクセスポイントからの分散型多入力および多出力（ＭＩＭＯ）通信の同時送信を開始することが可能であり、前記分散型ＭＩＭＯ通信は、前記第２のＢＳＳ中に含まれる１つまたは複数のワイヤレス局と前記アクセスポイントとの間での第２の通信を容易にするように構成された第１の通信を前記装置が前記アクセスポイントに送信することを備える、
前記アクセスポイントの前に前記カウントダウンプロシージャを完了したことに応答して、前記同時送信が第１のフレームの受信の所定の時間後に生じることになることを示す前記第１のフレームを、前記アクセスポイントに送信することと、
前記単一のチャネルがアイドル状態であると決定することと、
前記所定の時間後に、前記分散型ＭＩＭＯ通信のためのデータを、前記アクセスポイントと同時に、前記単一のチャネルを通して送信することと
を行わせる命令を備えるメモリと
を備える、装置。
【請求項１０】
前記命令の実行はさらに、前記装置に、
前記第１のフレームを生成すること
を行わせる、請求項９に記載の装置。
【請求項１１】
前記所定の時間が、
前記装置と前記アクセスポイントとによって設定される、または
ショートインターフレームスペース（ＳＩＦＳ）
のうちの少なくとも１つである、請求項１０に記載の装置。
【請求項１２】
前記命令の実行はさらに、前記装置に、
前記第１のフレームを生成すること
を行わせる、請求項９に記載の装置。
【請求項１３】
前記命令の実行はさらに、前記装置に、
前記第１のフレームに応答するワイヤレスデバイスのセットと、
アクセスカテゴリと、
チャネル帯域幅と、
ダウンリンク物理レイヤコンバージェンスプロシージャ（ＰＬＣＰ）プロトコルデータユニット（ＰＰＤＵ）の持続時間と
のうちの少なくとも１つを示す情報を含むように前記第１のフレームを生成することを行わせる、請求項９に記載の装置。
【請求項１４】
前記命令の実行はさらに、前記装置に、
前記装置が前記第１のフレームを送信するであろうと、前記装置と前記アクセスポイントとの間での１つまたは複数の通信に基づいて確立すること
を行わせる、請求項９に記載の装置。
【請求項１５】
前記命令の実行はさらに、前記装置に、
前記装置と前記アクセスポイントとが前記単一のチャネルを通して同時に送信するであろう時間を決定すること
を行わせる、請求項９に記載の装置。
【請求項１６】
前記命令の実行はさらに、前記装置に、前記装置と前記アクセスポイントとを、基本サービスセット（ＢＳＳ）識別子と局アドレスとのうちの少なくとも１つである対応する識別子を介して識別するように、前記第１のフレームを生成することを行わせる、請求項９に記載の装置。
【発明の詳細な説明】
【技術分野】
【０００１】
[0001]本願は概して、ワイヤレス通信に関し、およびより具体的には、分散型ＭＩＭＯワイヤレス通信において同期されたアクセスを実行するためのシステムおよび方法に関する。
【背景技術】
【０００２】
[0002]ワイヤレス通信システムは、音声、ビデオ、パケットデータ、メッセージング、ブロードキャスト、等のような様々なタイプの通信コンテンツを提供するために幅広く展開されている。Ｗｉ−ＦｉまたはＷｉＦｉ（例えば、ＩＥＥＥ８０２．１１）は、電子デバイスがワイヤレスローカルエリアネットワーク（ＷＬＡＮ）に接続することを可能にする技術である。ＷｉＦｉネットワークは、１つまたは複数の他の電子デバイス（例えば、コンピュータ、セルラ電話、タブレット、ラップトップ、テレビ、ワイヤレスデバイス、モバイルデバイス、「スマート」デバイス、等）と通信し得るアクセスポイント（ＡＰ）を含み得、それらは、局（ＳＴＡ）と呼ばれることができる。ＡＰは、インターネットのようなネットワークに結合され得、および１つまたは複数のＳＴＡがネットワークを介してまたはＡＰに結合された他のＳＴＡと通信することを可能にし得る。
【０００３】
[0003]多くのワイヤレスネットワークは、ワイヤレス媒体を共有するために、キャリア感知多元接続／衝突検出（ＣＳＭＡ／ＣＤ：carrier-sense multiple access with collision detection）を利用する。ＣＳＭＡ／ＣＤでは、ワイヤレス媒体上でのデータの送信の前に、デバイスは、別の送信が進行中であるかどうかを決定するために、媒体をリッスンし得る。媒体がアイドル状態である場合、デバイスは、送信を試み得る。デバイスはまた、データが成功裏に送信されたかどうか、またはことによると別のデバイスの送信との衝突が生じたかどうかを検出するために、その送信中に媒体をリッスンし得る。衝突が検出されると、デバイスは、ある時間期間にわたって待ち、そしてその後、送信を再び試み得る。ＣＳＭＡ／ＣＤの使用は、単一のデバイスがワイヤレスネットワークの（空間または周波数分割多重化チャネルのような）特定のチャネルを利用することを可能にする。
【０００４】
[0004]ユーザは、彼らのワイヤレスネットワークからますますより多くの容量を要求し続けている。例えば、ワイヤレスネットワークを通したビデオストリーミングは、より一般的になってきている。ビデオ電話会議もまた、ワイヤレスネットワークに対して追加の容量の要求を突きつけ得る。ユーザが必要とする帯域幅および容量の要件を満たすために、ますますより大きな量のデータを搬送するためのワイヤレス媒体の能力における改善が必要とされる。
【発明の概要】
【０００５】
[0005]添付された特許請求の範囲内のシステム、方法およびデバイスの様々なインプリメンテーションは各々、いくつかの態様を有し、それらのうちのどれ１つとして、ここに説明される望ましい属性を単独で担うものではない。添付された特許請求の範囲を限定することなしに、いくつかの顕著な特徴がここに説明される。
【０００６】
[0006]この明細書中に説明される主題の１つまたは複数のインプリメンテーションの詳細は、添付の図面および以下の説明中に記載されている。他の特徴、態様、および利点は、説明、図面、および特許請求の範囲から明らかになるであろう。以下の図の相対的な寸法は、原寸通りに描かれていないことがあり得ることに留意されたい。
【０００７】
[0007]ある特定の実施形態では、方法は、ワイヤレス媒体の単一のチャネルを通した２つ以上のアクセスポイントの同時送信を調整する。方法は、第１のアクセスポイントと少なくとも１つの第２のアクセスポイントとがチャネルを通して同時に送信するであろう時間を第１のアクセスポイントが決定することを備える。方法はさらに、その時間においてチャネルを通して分散型ＭＩＭＯ通信のデータ部分を第１のアクセスポイントが送信することを備える。
【０００８】
[0008]ある特定の実施形態では、方法は、ワイヤレス媒体の単一のチャネルを通した複数のアクセスポイントによる送信を調整する。方法は、第１のアクセスポイントと少なくとも１つの第２のアクセスポイントとがチャネルを通して同時に送信するであろう時間をデバイスが決定することを備える。方法はさらに、トリガメッセージをデバイスが送信することを備える。
【０００９】
[0009]ある特定の実施形態では、ワイヤレス通信のための装置は、ワイヤレス媒体の単一のチャネルを通した２つ以上のアクセスポイントの同時送信を調整するように構成された電子ハードウェアプロセッサを備える。電子ハードウェアプロセッサは、第１のアクセスポイントと少なくとも１つの第２のアクセスポイントとがチャネルを通して同時に送信するであろう時間を決定するように構成される。電子ハードウェアプロセッサはさらに、その時間においてチャネルを通して分散型ＭＩＭＯ通信のデータ部分を送信するように構成される。
【００１０】
[0010]ある特定の実施形態では、ワイヤレス通信のための装置は、ワイヤレス媒体の単一のチャネルを通した複数のアクセスポイントによる送信を調整するように構成された電子ハードウェアプロセッサを備える。電子ハードウェアプロセッサは、第１のアクセスポイントと少なくとも１つの第２のアクセスポイントとがチャネルを通して同時に送信するであろう時間を決定するように構成される。電子ハードウェアプロセッサはさらに、トリガメッセージを送信するように構成される。
【００１１】
[0011]ある特定の実施形態では、非一時的コンピュータ可読媒体は、実行されると、ワイヤレス媒体の単一のチャネルを通した２つ以上のアクセスポイントの同時送信を調整するための方法を実行する命令を備える。方法は、第１のアクセスポイントと少なくとも１つの第２のアクセスポイントとがチャネルを通して同時に送信するであろう時間を第１のアクセスポイントが決定することを備える。方法はさらに、その時間においてチャネルを通して分散型ＭＩＭＯ通信のデータ部分を第１のアクセスポイントが送信することを備える。
【００１２】
[0012]ある特定の実施形態では、非一時的コンピュータ可読媒体は、実行されると、ワイヤレス媒体の単一のチャネルを通した複数のアクセスポイントによる送信を調整する方法を実行する命令を備える。方法は、第１のアクセスポイントと少なくとも１つの第２のアクセスポイントとがチャネルを通して同時に送信するであろう時間をデバイスが決定することを備える。方法はさらに、トリガメッセージをデバイスが送信することを備える。
【図面の簡単な説明】
【００１３】
【図１】本開示の態様が用いられ得る実例的なワイヤレス通信システムを概略的に例示する。
【図２】図１の実例的なワイヤレス通信システム内で用いられ得る実例的なワイヤレスデバイスを概略的に例示する。
【図３】ここに説明されるある特定の実施形態にしたがった、分散型ＭＩＭＯワイヤレス通信システムの実例的な構成を概略的に例示する。
【図４】ここに説明されるある特定の実施形態にしたがった、分散型ＭＩＭＯワイヤレス通信システムと互換性がある実例的な通信オプションを概略的に例示する。
【図５】ここに説明されるある特定の実施形態にしたがった、クラスタへとグループ分けされた分散型ＭＩＭＯワイヤレス通信システムの実例的な複数の基本サービスセット（ＢＳＳ）を概略的に例示する。
【図６】ここに説明されるある特定の実施形態にしたがった、クラスタ内での同期されたアクセスを提供するための実例的なスキームを概略的に例示する。
【図７】ここに説明されるある特定の実施形態にしたがった、クラスタ内での同期されたアクセスを提供するための別の実例的なスキームを概略的に例示する。
【図８】ここに説明されるある特定の実施形態にしたがった、ワイヤレスネットワーク上でデータを送信する実例的な方法のフロー図である。
【詳細な説明】
【００１４】
[0021]新規のシステム、装置、および方法の様々な態様が、添付の図面を参照して以下により十分に説明される。本教示の開示は、しかしながら、多くの異なる形態で具現化され得、およびこの開示全体を通じて提示される任意の特定の構造または機能に限定されると解釈されるべきではない。むしろ、これらの態様は、この開示が徹底的且つ完全となり、および当業者に本開示の範囲を十分に伝達するように提供される。ここでの教示に基づいて、当業者は、本開示の範囲が、本開示の任意の他の態様とは独立してインプリメントされるか、または組み合わされてインプリメントされるかにかかわらず、ここに開示される新規のシステム、装置、および方法の任意の態様をカバーすることを意図されていることを認識すべきである。加えて、その範囲は、ここに記載されるような他の構造および機能を使用して実施されるそのような装置または方法をカバーすることを意図されている。ここに開示されるいずれの態様も、請求項の１つまたは複数の要素によって具現化され得ることが理解されるべきである。
【００１５】
[0022]特定の態様がここに説明されるが、これらの態様の多くの変形および置換が、本開示の範囲内に含まれる。好ましい態様のいくつかの利益および利点が記述されるが、本開示の範囲は、特定の利益、使用、または目的に限定されることを意図されてはいない。むしろ、本開示の態様は、異なるワイヤレス技術、システム構成、ネットワーク、および送信プロトコルに広く適用可能であることを意図されており、それらのうちのいくつかは、図面中および好ましい態様の以下の説明中に例として例示される。詳細な説明および図面は単に、限定というよりはむしろ本開示の例示であり、本開示の範囲は、添付された特許請求の範囲およびそれらの同等物によって定義されている。
【００１６】
[0023]「例証的（exemplary）」という用語は、ここでは、「例、事例、または例示としての役割を果たすこと」を意味するように使用される。「例証的」としてここに説明されるいかなるインプリメンテーションも、他のインプリメンテーションより好ましいまたは有利であるとして必ずしも解釈されるべきではない。以下の説明は、いかなる当業者であっても、ここに説明される実施形態を製造および使用することを可能にするために提示される。詳細は、説明を目的として、以下の説明中に記載される。本実施形態がこれらの特定の詳細の使用なしに実施され得ることを当業者が理解するであろうことが認識されるべきである。他の事例では、よく知られた構造およびプロセスは、不必要な詳細で、開示される実施形態の説明を曖昧にしないために、詳しく説明されない。このことから本願は、示されるインプリメンテーションによって限定されることを意図されておらず、ここに開示される原理および特徴と一致する最も幅広い範囲が付与されるべきである。
【００１７】
[0024]ワイヤレスアクセスネットワーク技術は、様々なタイプのワイヤレスローカルエリアアクセスネットワーク（ＷＬＡＮ）を含み得る。ＷＬＡＮは、幅広く使用されるアクセスネットワーキングプロトコルを用いて、近くのデバイスをともに相互接続するために使用され得る。ここに説明される様々な態様は、Ｗｉ−Ｆｉ、またはより一般には、ワイヤレスプロトコルのＩＥＥＥ８０２．１１ファミリの任意のメンバのような任意の通信規格に適用され得る。
【００１８】
[0025]いくつかのインプリメンテーションでは、ＷＬＡＮは、ワイヤレスアクセスネットワークにアクセスする様々なデバイスを含む。例えば、アクセスポイント（「ＡＰ」）と（局、または「ＳＴＡ」とも呼ばれる）クライアントとが存在し得る。一般に、ＡＰは、ＷＬＡＮ中のＳＴＡのためのハブまたは基地局としての役割を果たす。ＳＴＡは、ラップトップコンピュータ、携帯情報端末（ＰＤＡ）、モバイル電話、等であり得る。ある例では、ＳＴＡは、インターネットまたは他のワイドエリアアクセスネットワークに対する一般的な接続性を取得するために、Ｗｉ−Ｆｉ(例えば、８０２．１１ａｈのようなＩＥＥＥ８０２．１１プロトコル)準拠のワイヤレスリンクを介してＡＰに接続する。いくつかのインプリメンテーションでは、ＳＴＡはまた、ＡＰとして使用され得る。
【００１９】
[0026]アクセスポイント（「ＡＰ」）は、ノードＢ、無線アクセスネットワークコントローラ（「ＲＮＣ」）、ｅノードＢ（ｅＮＢ）、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の専門用語を備え得るか、それらとしてインプリメントされ得るか、またはそれらとして知られ得る。
【００２０】
[0027]局（「ＳＴＡ」）はまた、ユーザ端末、アクセス端末（「ＡＴ」）、加入者局、加入者ユニット、モバイル局、リモート局、リモート端末、ユーザエージェント、ユーザデバイス、ユーザ機器、または何らかの他の専門用語を備え得るか、それらとしてインプリメントされ得るか、またはそれらとして知られ得る。いくつかのインプリメンテーションでは、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の適した処理デバイスを備え得る。それ故に、ここに教示される１つまたは複数の態様は、電話（例えば、セルラ電話またはスマートフォン）、コンピュータ（例えば、ラップトップ）、ポータブル通信デバイス、ヘッドセット、ポータブルコンピューティングデバイス（例えば、携帯情報端末）、エンターテインメントデバイス（例えば、音楽またはビデオデバイス、あるいは衛星ラジオ）、ゲーミングデバイスまたはシステム、全地球測位システムデバイス、ノードＢ（基地局）、もしくはワイヤレス媒体を介して通信するように構成された任意の他の適したデバイスへと組み込まれ得る。
【００２１】
[0028]ここに説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、等のような様々なワイヤレス通信ネットワークのために使用され得る。「ネットワーク」および「システム」という用語は、交換可能に使用されることが多い。ＣＤＭＡネットワークは、ユニバーサル地上無線アクセス（ＵＴＲＡ）、ｃｄｍａ２０００、等のような無線技術をインプリメントし得る。ＵＴＲＡは、ワイドバンドＣＤＭＡ（Ｗ−ＣＤＭＡ（登録商標））および低チップレート（ＬＣＲ：Low Chip Rate）を含む。ｃｄｍａ２０００は、ＩＳ−２０００、ＩＳ−９５およびＩＳ−８５６規格をカバーする。ＴＤＭＡネットワークは、モバイル通信のためのグローバルシステム（ＧＳＭ（登録商標））のような無線技術をインプリメントし得る。ＯＦＤＭＡネットワークは、発展型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ、等のような無線技術をインプリメントし得る。ＵＴＲＡ、Ｅ−ＵＴＲＡ、およびＧＳＭは、ユニバーサルモバイル電気通信システム（ＵＭＴＳ）の一部である。ロングタームエボリューション（ＬＴＥ（登録商標））は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ（登録商標））という名称の組織からの文書中に説明されている。ｃｄｍａ２０００は、「第３世代パートナーシッププロジェクト２」（３ＧＰＰ２）という名称の組織からの文書中に説明されている。これらの様々な無線技術および規格は、当該技術において知られている。
【００２２】
[0029]図１は、ＡＰとＳＴＡとを有する多元接続多入力多出力（ＭＩＭＯ）システム１００を例示する図である。簡潔さのために、１つのＡＰ１０４のみが図１に示されている。上述されたように、ＡＰ１０４は、（ここでは、一括して「ＳＴＡ１０６」とも、または個々に「ＳＴＡ１０６」とも呼ばれる）ＳＴＡ１０６ａ〜ｄと通信し、およびまた、基地局とも、または何らかの他の専門用語を使用して、呼ばれ得る。また上述されたように、ＳＴＡ１０６は、固定またはモバイルであり得、およびまた、ユーザ端末、モバイル局、ワイヤレスデバイスとも、または何らかの他の専門用語を使用して、呼ばれ得る。ＡＰ１０４は、ダウンリンクまたはアップリンク上で任意の所与の瞬間に１つまたは複数のＳＴＡ１０６と通信し得る。ダウンリンク（すなわち、順方向リンク）は、ＡＰ１０４からＳＴＡ１０６への通信リンクであり、およびアップリンク（すなわち、逆方向リンク）は、ＳＴＡ１０６からＡＰ１０４への通信リンクである。ＳＴＡ１０６はまた、別のＳＴＡ１０６とピアツーピアで通信し得る。
【００２３】
[0030]以下の開示の一部分は、空間分割多元接続（ＳＤＭＡ）を介して通信することが可能であるＳＴＡ１０６を説明することになる。このことから、そのような態様では、ＡＰ１０４は、ＳＤＭＡ ＳＴＡと非ＳＤＭＡ ＳＴＡとの両方と通信するように構成され得る。このアプローチは、好都合なことに、ＳＤＭＡをサポートしないより古いバージョンのＳＴＡ（例えば、「レガシ」ＳＴＡ）が事業展開され続けることを可能にし得、それらの耐用寿命を延長しつつ、適切であると見なされる場合により新しいＳＤＭＡ ＳＴＡが導入されることを可能にする。
【００２４】
[0031]ＭＩＭＯシステム１００は、ダウンリンクおよびアップリンク上でのデータ送信のために複数の送信アンテナおよび複数の受信アンテナを用い得る。ＡＰ１０４は、Ｎａｐ個のアンテナを装備され、ダウンリンク送信については多入力（ＭＩ）およびアップリンク送信については多出力（ＭＯ）を表す。Ｋ個の選択されたＳＴＡ１０６のセットは集合的に、ダウンリンク送信については多出力およびアップリンク送信については多入力を表す。純粋なＳＤＭＡでは、Ｋ個のＳＴＡのためのデータシンボルストリームが、何らかの手段によってコード、周波数、または時間で多重化されていない場合に、Ｎａｐ≦Ｋ≦１を有することが所望される。データシンボルストリームが、ＴＤＭＡ技法、ＣＤＭＡを用いる異なるコードチャネル、ＯＦＤＭを用いるサブバンドの素集合（disjoint sets）、等を使用して多重化されることができる場合、Ｋは、Ｎａｐより大きくなり得る。各選択されたＳＴＡは、ＡＰにユーザ固有のデータを送信し得る、および／またはＡＰからユーザ固有のデータを受信し得る。一般に、各選択されたＳＴＡは、１つまたは複数のアンテナ（すなわち、Ｎｕｔ１）を装備され得る。Ｋ個の選択されたＳＴＡは、同じ数のアンテナを有することができる、または１つまたは複数のＳＴＡは、異なる数のアンテナを有し得る。
【００２５】
[0032]ＭＩＭＯシステム１００は、時分割複信（ＴＤＤ）システムまたは周波数分割複信（ＦＤＤ）システムであり得る。ＴＤＤシステムでは、ダウンリンクおよびアップリンクは、同じ周波数帯域を共有する。ＦＤＤシステムでは、ダウンリンクおよびアップリンクは、異なる周波数帯域を使用する。ＭＩＭＯシステム１００はまた、送信のために単一のキャリアまたは複数のキャリアを利用し得る。各ＳＴＡは、（例えば、コストを抑えるために）単一のアンテナまたは（例えば、追加のコストがサポートされることができる場合には）複数のアンテナを装備され得る。送信／受信を異なるタイムスロットへと分割することによってＳＴＡ１０６が同じ周波数チャネルを共有する場合、ＭＩＭＯシステム１００はまた、ＴＤＭＡシステムであり得、ここで、各タイムスロットは、異なるＳＴＡ１０６に割り当てられ得る。
【００２６】
[0033]図２は、ワイヤレス通信ＭＩＭＯシステム１００内で用いられ得るワイヤレスデバイス２０２中で利用され得る様々なコンポーネントを例示している。ワイヤレスデバイス２０２は、ここに説明される様々な方法をインプリメントするように構成され得るデバイスの例である。ワイヤレスデバイス２０２は、ＡＰ１０４またはＳＴＡ１０６をインプリメントし得る。
【００２７】
[0034]ワイヤレスデバイス２０２は、ワイヤレスデバイス２０２の動作を制御する電子ハードウェアプロセッサ２０４を含み得る。プロセッサ２０４はまた、中央処理ユニット（ＣＰＵ）と呼ばれ得る。読取専用メモリ（ＲＯＭ）とランダムアクセスメモリ（ＲＡＭ）との両方を含み得るメモリ２０６は、プロセッサ２０４に命令およびデータを提供する。メモリ２０６の一部分はまた、不揮発性ランダムアクセスメモリ（ＮＶＲＡＭ）を含み得る。プロセッサ２０４は、メモリ２０６内に記憶されたプログラム命令に基づいて、論理および算術演算を実行し得る。メモリ２０６中の命令は、ここに説明される方法をインプリメントするように実行可能であり得る。
【００２８】
[0035]プロセッサ２０４は、１つまたは複数の電子ハードウェアプロセッサでインプリメントされる処理システムのコンポーネントであり得るか、またはそれを備え得る。１つまたは複数のプロセッサは、汎用マイクロプロセッサ、マイクロコントローラ、デジタルシグナルプロセッサ（ＤＳＰ）、フィールドプログラマブルゲートアレイ（ＦＰＧＡ）、プログラマブルロジックデバイス（ＰＬＤ）、コントローラ、ステートマシン、ゲートロジック、ディスクリートハードウェアコンポーネント、専用ハードウェア有限ステートマシン、または情報の算出あるいは他の操作を実行することができる任意の他の適したエンティティの任意の組み合わせでインプリメントされ得る。
【００２９】
[0036]処理システムはまた、ソフトウェアを記憶するための機械可読媒体を含み得る。ソフトウェアは、ソフトウェア、ファームウェア、ミドルウェア、マイクロコード、ハードウェア記述言語、またはその他の名称で呼ばれるかにかかわらず、任意のタイプの命令を意味するように広く解釈されるべきである。命令は、（例えば、ソースコードフォーマット、バイナリコードフォーマット、実行可能コードフォーマット、または任意の他の適したコードのフォーマットの）コードを含み得る。命令は、１つまたは複数のプロセッサによって実行されると、処理システムに、ここに説明される様々な機能を実行することを行わせる。
【００３０】
[0037]ワイヤレスデバイス２０２はまた、ワイヤレスデバイス２０２とリモートロケーションとの間でのデータの送信および受信を可能にするために、送信機２１０および受信機２１２を含み得るハウジング２０８を含み得る。送信機２１０および受信機２１２は、トランシーバ２１４へと組み合わされ得る。単一または複数のトランシーバアンテナ２１６は、ハウジング２０８に取り付けられ、およびトランシーバ２１４に電気的に結合され得る。ワイヤレスデバイス２０２はまた、複数の送信機、複数の受信機、および複数のトランシーバを含み得る（図示せず）。
【００３１】
[0038]ワイヤレスデバイス２０２はまた、トランシーバ２１４によって受信される信号のレベルを検出および定量化する取り組みにおいて使用され得る信号検出器２１８を含み得る。信号検出器２１８は、そのような信号を、総エネルギー、シンボルあたりのサブキャリアあたりのエネルギー、電力スペクトル密度および他の信号として検出し得る。ワイヤレスデバイス２０２はまた、信号を処理する際に使用するためのデジタルシグナルプロセッサ（ＤＳＰ）２２０を含み得る。いくつかの態様では、ワイヤレスデバイスはまた、ユーザインターフェースコンポーネント２２２、セルラモデム２３４、およびワイヤレスＬＡＮ（ＷＬＡＮ）モデムのうちの１つまたは複数を含み得る。セルラモデム２３４は、ＣＤＭＡ、ＧＰＲＳ、ＧＳＭ、ＵＴＭＳ、または他のセルラネットワーキング技術のようなセルラ技術を使用して通信を提供し得る。モデム２３８は、ＩＥＥＥ８０２．１１プロトコル規格のうちの任意のもののような１つまたは複数のＷｉＦｉ技術を使用して通信を提供し得る。
【００３２】
[0039]ワイヤレスデバイス２０２の様々なコンポーネントは、バスシステムによってともに結合され得、それは、データバスに加えて、電力バス、制御信号バス、および状態信号バスを含み得る。
【００３３】
[0040]本開示のある特定の態様は、１つまたは複数のＳＴＡと１つのＡＰとの間でアップリンク（ＵＬ）信号またはダウンリンク（ＤＬ）信号を送信することをサポートする。いくつかの実施形態では、信号は、マルチユーザＭＩＭＯ（ＭＵ−ＭＩＭＯ）システム中で送信され得る。代替として、信号は、マルチユーザＦＤＭＡ（ＭＵ−ＦＤＭＡ）または同様のＦＤＭＡシステム中で送信され得る。いくつかの態様では、これらの信号は、送信機２１０およびモデム２３８のうちの１つまたは複数を通して送信され得る。
【００３４】
[0041]図３は、４つの基本サービスセット（ＢＳＳ）３０２ａ〜ｄを示しており、各ＢＳＳは、それぞれ、アクセスポイント１０４ａ〜ｄを含む。各アクセスポイント１０４ａ〜ｄは、そのそれぞれのＢＳＳ３０２ａ〜ｄ内の少なくとも２つの局にアソシエートされる。ＡＰ１０４ａは、ＳＴＡ１０６ａ〜ｂにアソシエートされる。ＡＰ１０４ｂは、ＳＴＡ１０６ｃ〜ｄにアソシエートされる。ＡＰ１０４ｃは、ＳＴＡ１０６ｅ〜ｆにアソシエートされる。ＡＰ１０４ｄは、ＳＴＡ１０６ｇ〜ｈにアソシエートされる。ＳＴＡにアソシエートされたＡＰは、この開示全体を通じてＳＴＡのためのＢＳＳ ＡＰと呼ばれ得る。同様に、特定のＳＴＡとのアソシエーションがないＡＰは、この開示全体を通じてＳＴＡのためのＯＢＳＳ ＡＰと呼ばれ得る。１つのＡＰと１つまたは複数の局との間でのアソシエーションは、ＡＰとそのアソシエートされたＳＴＡとによって定義された基本サービスセット（ＢＳＳ）内のデバイス間での通信の調整を部分的に提供する。例えば、各ＢＳＳ内のデバイスは、互いと信号を交換し得る。その信号は、ＡＰのＢＳＳ３０２ａ〜ｄ内のそれぞれのＡＰ１０４ａ〜ｄおよび局からの送信を調整するように機能し得る。
【００３５】
[0042]ＡＰ１０４ａ〜ｄおよびＳＴＡ１０６ａ〜ｈを含む、図３に示されているデバイスはまた、ワイヤレス媒体を共有する。ワイヤレス媒体の共有は、いくつかの態様では、キャリア感知媒体接続／衝突検出（ＣＳＭＡ／ＣＤ：carrier sense media access with collision detection）の使用を介して容易にされる。開示される実施形態は、知られているシステムと比較されると、ＢＳＳ３０２ａ〜ｄが同時に通信するための能力の増大を提供する修正されたバージョンのＣＳＭＡ／ＣＤを提供し得る。
【００３６】
[0043]ＢＳＳ３０２ａ〜ｄ内の局１０６ａ〜ｈは、それらのそれぞれのＢＳＳの外部（ＯＢＳＳ）の他のＡＰおよび／または局に対するそれらの位置に少なくとも部分的に基づいて、それらのアソシエートされたＡＰから送信を受信するための異なる能力を有し得る。例えば、局１０６ａ、１０６ｄ、１０６ｅ、１０６ｈがＯＢＳＳ ＡＰから比較的遠くに位置付けられることから、これらの局は、ＯＢＳＳ ＡＰまたはＳＴＡが送信しているとしても、それらのＢＳＳ ＡＰから送信を受信するための能力を有し得る。そのような受信特性を有する局は、この開示全体を通じて再使用ＳＴＡ（Reuse STAs）と呼ばれ得る。
【００３７】
[0044]対照的に、ＳＴＡ１０６ｂ、１０６ｃ、１０６ｆ、および１０６ｇは、ＯＢＳＳ ＡＰに比較的近い位置に例示されている。このことから、これらの局は、ＯＢＳＳ ＡＰおよび／またはＯＢＳＳ ＳＴＡからの送信中にそれらのＢＳＳ ＡＰから送信を受信するためのより劣った能力を有し得る。そのような受信特性を有する局は、この開示全体を通じて非再使用またはエッジＳＴＡ（non-reuse or edge STAs）と呼ばれ得る。いくつかの態様では、開示される方法およびシステムは、他のＯＢＳＳデバイスもまたワイヤレス媒体上で通信している間に非再使用ＳＴＡが同時に通信するための改善された能力を提供し得る。
【００３８】
[0045]開示される態様の少なくともいくつかでは、ＡＰ１０４ａ〜ｄのうちの２つ以上は、アクセスポイントのクラスタを形成するためにネゴシエートし得る。他の態様では、クラスタ構成は、手動構成を介して定義され得る。例えば、各ＡＰは、ＡＰが１つまたは複数のクラスタの一部であるかどうかを示す構成パラメータを、およびそうである場合には、クラスタについてのクラスタ識別子を維持し得る。いくつかの態様では、構成はまた、ＡＰがクラスタのためのクラスタコントローラであるかどうかを示し得る。ここに開示される実施形態のうちのいくつかでは、クラスタコントローラは、クラスタの一部であるが、クラスタコントローラではないＡＰとは異なる機能を引き受け得る。このことから、いくつかの態様では、ＡＰ１０４ａ〜ｄのうちの２つ以上は、同じクラスタ中に含まれ得る。それらのアクセスポイントにアソシエートされたＳＴＡもまた、それらのアソシエートされたＡＰのクラスタ中に含まれるか、またはそのクラスタの一部であると考えられ得る。したがって、いくつかの態様では、上記に例示されたＳＴＡａ〜ｈは、同じクラスタの一部であり得る。
【００３９】
[0046]アクセスポイントのクラスタは、それら自体とそれらのアソシエートされたＡＰとの間での送信を調整し得る。いくつかの態様では、クラスタは、クラスタを備えるアクセスポイントのグループを一意的に識別するクラスタ識別子を介して識別され得る。いくつかの態様では、クラスタ中のＡＰのうちの任意のものとの局のアソシエーション中に、クラスタ識別子は、例えば、アソシエーション応答メッセージ中でそのアソシエーション中に局に送信される。局はその後、クラスタ内での通信を調整するためにクラスタ識別子を利用し得る。例えば、ワイヤレスネットワークを通して送信される１つまたは複数のメッセージは、クラスタ識別子を含み得、それは、受信するＳＴＡが、メッセージがそれにアドレス指定されているか否かを決定するために使用し得る。
【００４０】
[0047]アクセスポイントのクラスタがまた、クラスタ内のＳＴＡを識別するために様々な方法を利用し得る実施形態。例えば、アソシエーション識別子（ＡＩＤ）を生成する知られている方法は、アクセスポイントにわたって一意性（uniqueness）を提供しないことがあり得ることから、いくつかの態様では、媒体アクセス制御（ＭＡＣ）アドレスが、適切な場合に、局を識別するために利用され得る。例えば、局を識別するためにアソシエーション識別子を利用するユーザ情報フィールドを含む知られているメッセージは、開示される実施形態では、局のＭＡＣアドレスから導出されるデータを包含するように修正され得る。代替として、アソシエーション識別子を生成する方法は、アクセスポイントのクラスタ内での一意性を確実にするように修正され得る。例えば、アソシエーション識別子の一部分は、クラスタ内のアクセスポイントを一意的に識別し得る。アクセスポイントにアソシエートされた局は、一意の識別情報（identification）を含むアソシエーション識別子を割り当てられるであろう。これは、クラスタ内のアクセスポイントにわたって一意のアソシエーション識別子を提供する。いくつかの他の態様では、クラスタ内のアソシエーション識別子は、クラスタ識別子を含み得る。これは、通信の将来のクラスタ間調整（future cross-cluster coordination of communication）を容易にするために、クラスタにわたって一意性を提供し得る。
【００４１】
[0048]図４は、図３の通信システム３００を用いてワイヤレス媒体を調停する（arbitrating）ための３つの例証的なアプローチを示している。アプローチ４０５は、単一のＢＳＳマルチユーザ送信を実行するためにキャリア感知媒体接続（ＣＳＭＡ）を利用する。例えば、送信４２０ａ〜ｄの各々は、それぞれ、図３のＢＳＳ３０２ａ〜ｄによって実行され得る。アプローチ４０５における従来のＣＳＭＡの使用は、媒体が、任意の時点において１つのＢＢＳのみによって利用されること引き起こす。
【００４２】
[0049]アプローチ４１０は、調整されたビームフォーミングを利用する。調整されたビームフォーミングアプローチ４１０では、ＡＰ１０４ａ〜ｄは、それらのそれぞれのＢＳＳ間での送信を調整し得る。いくつかの態様では、この調整は、ワイヤレス媒体を通してまたはいくつかの態様では、バックホールネットワークを通して、実行され得る。これらの態様では、バックホールネットワークを通る調整トラフィックは、ワイヤレス媒体の改善された利用を提供した。
【００４３】
[0050]このアプローチでは、異なるＢＳＳのための再使用ＳＴＡが、同時にデータを送信または受信するようにスケジューリングされ得る。例えば、ＳＴＡ１０６ａとＡＰ１０４ａとの間の通信チャネルの相対的強度は、これらの２つのデバイスが、例えば、ＡＰ１０４ｂとＳＴＡ１０６ｄとのようなＯＢＳＳデバイスとの通信と同時にデータを交換することを可能にし得る。加えて、アプローチ４１０は、非再使用ＳＴＡがＯＢＳＳデバイスと同時に送信するようにスケジューリングされ得ることを提供する。例えば、ＢＳＳ３０２内にあるＳＴＡ１０６ｂは、ＢＳＳ３０２ｄのＡＰ１０４ｄとＳＴＡ１０６ｈとの間での通信と同時に通信するようにスケジューリングされ得る。（ＳＴＡ１０６ｂのような）非再使用ＳＴＡと、例えば、ＡＰ１０４ｄとの間でのそのような同時通信は、ＳＴＡ１０６ｈへのＡＰ１０４ｄの送信と同時にＳＴＡ１０６ｂに信号を送信するようにＡＰ１０４ｄをスケジューリングすることによって容易にされ得る。例えば、ＡＰ１０４ｄは、ＳＴＡ１０６ｂに支配的な干渉信号のためのヌル信号を送信し得る。このことから、ＳＴＡ１０６ｈに第１の信号を送信している間に、ＡＰ１０４ｄは、ＳＴＡ１０６ｂに第１の信号をヌリングする（nulling）信号を同時に送信し得る。ＡＰ１０４ｄによるそのような同時送信は、送信の各々のためにＡＰ１０４ｄによって提供される複数のアンテナのうちの個々のアンテナ（１つ以上）を選択することによって提供され得る。
【００４４】
[0051]アプローチ４１５は、ＢＳＳ３０２ａ〜ｄ内のアクセスポイント１０４ａ〜ｄにわたる例証的な共同（joint）マルチユーザ通信または分散型ＭＩＭＯ通信を示している。この共同ＭＩＭＯアプローチ４１５では、（ＡＰ１０４ａ〜ｄのような）ＡＰのクラスタが、同時にＮ個の１−ＳＳ ＳＴＡをサービスし得、ここで、Ｎは、クラスタ内の全てのＡＰにわたるアンテナの総数の〜３／４である。分散型ＭＩＭＯ通信は、クラスタ内の局に送信するように、クラスタ内の複数のＡＰにわたるアンテナの集合を調整し得る。このことから、従来のＭＩＭＯ方法は、単一のＢＳＳ内の送信アンテナをそのＢＳＳ内の局に割り振る一方で、分散型ＭＩＭＯは、ＢＳＳ内の局との通信を容易にするために、ＢＳＳの外部の送信アンテナの割り振りを提供する。
【００４５】
[0052]分散型ＭＩＭＯ通信では、ある１つのＢＳＳ中の局は、別の異なるＢＳＳ中の１つまたは複数のアクセスポイントと通信し得る。このことから、例えば、図３のＢＳＳ３０２ａの局１０６ａは、アクセスポイント１０４ｄと通信し得、それは、ＢＳＳ３０２ｄ中にある。この通信は、ＳＴＡ１０６ａと、ＳＴＡ１０６ａのＢＳＳ ＡＰであるＡＰ１０４ａとの間での通信と同時に生じ得る。アップリンク分散型ＭＩＭＯ通信のいくつかの態様では、ＳＴＡ１０６ａは、ＡＰ１０４ｄと同時にＡＰ１０４ａに対して１つまたは複数のアップリンク通信を行い得る。代替として、ダウンリンク分散型ＭＩＭＯ通信は、ＡＰ１０４ｄからＳＴＡ１０６ａへの送信と同時にＡＰ１０４ａがＳＴＡ１０６ａにデータを送信することを含み得る。
【００４６】
[0053]このことから、分散型実施形態のうちの１つまたは複数は、多地点協調（Cooperative Multipoint）（ＣｏＭＰ、例えば、ネットワークＭＩＭＯ（Ｎ−ＭＩＭＯ）、分散型ＭＩＭＯ（Ｄ−ＭＩＭＯ）、または協調ＭＩＭＯ（Ｃｏ−ＭＩＭＯ）、等とも呼ばれる）送信の形式でＭＩＭＯを利用し得、それにおいて、複数の対応する基本サービスセットを維持する複数のアクセスポイントは、１つまたは複数のＳＴＡ１０６とそれぞれの協調または共同通信を行うことができる。ＳＴＡとＡＰとの間でのＣｏＭＰ通信は、例えば、共同処理スキームを利用することができ、それにおいて、局にアソシエートされたアクセスポイント（ＢＳＳ ＡＰ）と局にアソシエートされていないアクセスポイント（ＯＢＳＳ ＡＰ）とは、ＳＴＡにダウンリンクデータを送信することおよび／またはＳＴＡからアップリンクデータを共同で受信することに従事するために協調する。加えてまたは代替として、１つのＳＴＡと複数のアクセスポイントとの間でのＣｏＭＰ通信は、調整されたビームフォーミングを利用することができ、それにおいて、ＢＳＳ ＡＰとＯＢＳＳ ＡＰとは、ＯＢＳＳ ＡＰがＢＳＳ ＡＰと、いくつかの態様では、そのアソシエートされた局の少なくとも一部分とから離れて送信のための空間的ビームを形成するように協調することができ、それにより、ＢＳＳ ＡＰが、低減された干渉でそのアソシエートされた局のうちの１つまたは複数と通信することを可能にする。
【００４７】
[0054]調整されたビームフォーミングアプローチ４１０または共同ＭＩＭＯアプローチ４１５を容易にするために、アクセスポイントとＯＢＳＳデバイスとの間のチャネルコンディショナル（channel conditional）の理解は、より高いワイヤレス通信の効率性を提供し得る。
【００４８】
[0055]図５は、例証的な分散型ＭＩＭＯワイヤレス通信システムの複数の基本サービスセット（ＢＳＳ）５００を概略的に例示している。図５の各六角形は、一括して基本サービスセット（ＢＳＳ）と呼ばれる、アクセスポイントとアソシエートされた局とを表している。個々のＢＳＳは、ここに説明されるある特定の実施形態にしたがって、クラスタへとグループ分けされる。図５によって概略的に例示されている例では、第１のクラスタ（Ｃ１）は、４つのＢＳＳを備え、第２のクラスタ（Ｃ２）は、４つのＢＳＳを備え、および第３のクラスタ（Ｃ３）は、４つのＢＳＳを備える。ある特定の他の実施形態では、クラスタは、２、３、４、５、または任意の数のＢＳＳを備えることができ、およびワイヤレス通信システムは、１つまたは複数のクラスタ（例えば、２、３、４、５または他の数のクラスタ）を備えることができる。
【００４９】
[0056]ある特定の実施形態では、分散型ＭＩＭＯ通信を実行するために、クラスタの２つ以上のＢＳＳ内のデバイスは、同時に単一のチャネルを通して送信し得る（例えば、単一のチャネルを介して同時にＢＳＳの複数のアクセスポイントからデータを送信するか、または単一のＡＰに同時に異なるＢＳＳ中の複数の局からデータを送信する）。いくつかの態様では、集中型スケジューラ（図示せず）が、クラスタＣ１〜Ｃ３にわたって送信を調整し得る。例えば、調整は、共同ＭＩＭＯ通信を実行するためにどのデバイスが複数のＢＳＳから同時に送信するであろうかを選択することを含み得る。
【００５０】
[0057]図６および７は、ここに説明されるある特定の実施形態にしたがった、クラスタ内の単一の通信チャネルへの同期されたアクセスを提供するための２つの対応する実例的なスキームを概略的に例示している。図６および７のスキームを利用するいくつかの実施形態では、Ｗｉ-Ｆｉチャネルアクセスルールは、アンライセンス帯域のためのものである（ここに説明されるある特定の実施形態にしたがった他の例は、異なる想定を使用し得る）。クラスタは、複数のアクセスポイントと複数の局とを備えることができ、およびワイヤレスネットワークまたはワイヤレスネットワークの一部分であることができる。ある特定の実施形態では、メッセージ（例えば、「フレーム」、「トリガフレーム」、「第１のメッセージ」、「第１のフレーム」、「第１のトリガフレーム」、等）は、クラスタのコンポーネントから（例えば、複数のアクセスポイントのうちの１つアクセスポイントから、または複数の局のうちの１つの局から）送信され得る。一例として、トリガフレーム６０５または７０５は、ある１つのＡＰから複数のＡＰに送られ得る。ある特定の実施形態では、トリガフレーム６０５または７０５は、（例えば、他のアクセスポイントのうちの１つから）アクセスポイントによって受信され、およびトリガフレームに少なくとも部分的に応答して、受信するアクセスポイントは、所定の時間値（例えば、規格において規定されている時間値；アクセスポイントによって算出される時間値）またはトリガフレームによって示される時間値（例えば、トリガフレームは、第１のアクセスポイントと第２のアクセスポイントとがワイヤレスネットワークの単一のチャネル上でデータを同時に送信する時間を、１つまたは複数の所定の値を有する１つまたは複数のフィールドを介して示す）に時間を設定することができる。ここに説明されるように、ある特定の実施形態では、トリガフレーム６０５または７０５は、トリガフレーム６０５または７０５を受信するアクセスポイントからの送信を請求する（solicit）ために使用される。トリガフレーム６０５または７０５は、特定の規格において説明されているフレームの拡張、例えば、ＩＥＥＥ８０２．１１ａｘ中に説明されているような（例えば、複数のＳＴＡをアドレス指定するための）「トリガフレーム」であり得る。トリガフレーム６０５または７０５は、１つまたは複数の後続の規格において説明されているフレームまたはフレームの拡張であり得る。
【００５１】
[0058]ある特定の実施形態では、図６および７によって概略的に例示されているように、トリガフレーム６０５または７０５は、アクセスポイントによって送信される。ある特定の他の実施形態では、トリガフレーム６０５または７０５は、指定された局（例えば、以前に決定された、指定された局；ワイヤレスネットワークの２つ以上のコンポーネント間での通信またはネゴシエーションを通じて、決定された局になるように選択された局）によって送信される。
【００５２】
[0059]図６によって概略的に例示されているように、複数のアクセスポイントのうちの１つのアクセスポイントは、「クラスタリーダ」として指定されることができる。例えば、クラスタリーダは、以前に決定されたアクセスポイントであることができ、その選択は、クラウド制御されることができるか、その選択は、無線でネゴシエートされる（例えば、アクセスポイントのうちの２つ以上のような、ワイヤレスネットワークの２つ以上のコンポーネント間での通信またはネゴシエーションを通じて選択される）ことができるか、またはその選択は、アクセスポイントのＭＡＣアドレス（例えば、最低ＭＡＣアドレスまたは最高ＭＡＣアドレス）に基づくことができる。クラスタリーダは、複数のアクセスポイントからの調整された送信を開始するために、複数のアクセスポイントのうちの１つまたは複数の他のアクセスポイントにトリガフレームを送信することができる。例えば、図６によって概略的に例示されているように、キャリア感知多元接続（ＣＳＭＡ）バックオフプロシージャ／カウントダウンプロシージャを実行した後に、クラスタリーダは、複数のアクセスポイントのうちの１つまたは複数の他のアクセスポイントにトリガフレームを送信することができる。ここに説明されるように、ＣＳＭＡバックオフプロシージャは単に、「バックオフプロシージャ」、「ＣＳＭＡバックオフプロシージャ」、「カウントダウンプロシージャ」、等と呼ばれ得る。バックオフプロシージャに関するさらなる詳細は、以下に図７に関連して説明される。
【００５３】
[0060]トリガフレーム６０５を送信した後に、クラスタリーダは、それぞれ、トリガフレーム６０５によって示された時間において単一のチャネル上でデータ（例えば、ダウンリンクデータ）６１５ａを送信することができる。ある特定の他の実施形態では、クラスタリーダは、クラスタリーダによるトリガフレーム６０５送信の時間と、トリガフレーム送信の時間後の定数の経過時間（a constant elapsed time）とに基づいて、その時間を決定することができる。例えば、トリガフレーム６０５送信とデータ送信との間の時間の隔たりは、予め定義された時間（例えば、ショートインターフレームスペース（short interframe space）またはＳＩＦＳ）であることができる。同様に、トリガフレーム６０５を受信する１つまたは複数の他のアクセスポイントは、クラスタリーダによるトリガフレーム送信の時間（または、アクセスポイントによるトリガフレーム受信の時間）と、トリガフレーム６０５送信（または受信）の時間後の同じ定数の経過時間（例えば、ＳＩＦＳ）とに基づいて、その時間を決定することができる。
【００５４】
[0061]クラスタリーダから受信されたトリガフレーム６０５に少なくとも部分的に応答して、複数のアクセスポイントのうちの１つまたは複数の他のアクセスポイントのうちの少なくともいくつかは、それぞれ、トリガフレーム６０５によって示された時間において単一のチャネル上でデータ（例えば、ダウンリンクデータ）６１５ｂを送信することができる。１つまたは複数の他の非リーダアクセスポイントからのこのデータ送信６１５ｂはその後、単一のチャネル上でのクラスタリーダによるデータ送信６１５ａと同期される（例えば、同時である）ことができる。複数のアクセスポイントのうちの１つまたは複数の非リーダアクセスポイントの各々（例えば、図６の「メンバＡＰ−１」および「メンバＡＰ−２」）は、単一のチャネル上でデータを送信する前にそのキャリア感知（ＣＳ）状態がビジー状態であるかどうかをチェックするために、対応するチェッキングプロシージャを実行し得る（例えば、物理ＣＣＡおよび仮想ＮＡＶの両方をモニタする）。図６によって概略的に例示されているように、「メンバＡＰ−１」は、そのＣＳ状態が時間期間６１０中にビジー状態でないと決定するため、少なくとも部分的にそれに応答して、「メンバＡＰ−１」は、単一のチャネル上でのデータ送信６１５ｂを実行し、その一方で「メンバＡＰ−２」は、そのＣＳ状態が時間期間６１０中にビジー状態であると決定するため、少なくとも部分的にそれに応答して、「メンバＡＰ−２」は、単一のチャネル上でのデータ送信を実行しない。
【００５５】
[0062]図７によって概略的に例示されているように、ある特定の他の実施形態では、アクセスポイントのうちのどれも、「クラスタリーダ」として指定されない。代わりに、複数のアクセスポイントのうちの任意のアクセスポイントが、複数のアクセスポイントからの調整されたデータ送信を開始するために、１つまたは複数の他のアクセスポイントにトリガフレーム７０５を送信し得る。ある特定の実施形態では、アクセスポイントの各々は、時間期間７０２中にＣＳＭＡバックオフプロシージャ／カウントダウンプロシージャを実行することができ、および最初にそのそれぞれのバックオフプロシージャを完了するアクセスポイントが、トリガフレーム７０５を送信し得る。例えば、図７に概略的に例示されているように、アクセスポイントのうちの１つ（例えば、「メンバＡＰ−２」）は、そのＣＳＭＡバックオフプロシージャ／カウントダウンプロシージャを最初に完了し、およびこのアクセスポイントはその後、１つまたは複数の他のアクセスポイント（例えば、「メンバＡＰ−１」および「メンバＡＰ−３」）にトリガフレーム７０５を送信することが例示されている。ある特定の実施形態では、複数のアクセスポイントは、複数のアクセスポイントによって送信される複数のトリガフレームの衝突を避ける（例えば、衝突の確率を低減する）ためのプロシージャを実行するであろう。
【００５６】
[0063]いくつかの態様では、ＡＰがクラスタリーダであるか否かは、同時送信の前にＡＰがバックオフプロシージャを実行するかどうかを決定し得る。例えば、非リーダＡＰは、バックオフプロシージャを実行しないことがあり得るが、代わりに、最初にバックオフプロシージャを実行することなしに同時送信に参加し得る。そのようなＡＰは、送信する前にワイヤレス媒体（例えば、チャネル）がアイドル状態であるかどうかを決定し得る。例えば、ＡＰは、クリアチャネル評価（ＣＣＡ：a clear channel assessment）に基づいてワイヤレス媒体がビジー状態であるかどうかを決定し得る。ある態様では、ＡＰは、ワイヤレス媒体上のエネルギーレベルをモニタすることによって（例えば、「エネルギー検出」（ＥＤ：energy detect）を介して）ワイヤレス媒体がアイドル状態であると決定し得る。別の態様では、ＡＰは、ワイヤレス媒体上でのパケット送信を検出すること（例えば、「パケット検出」（ＰＤ：packet detect））によってワイヤレス媒体がビジー状態であるかどうかを決定し得る。さらに、ＡＰは、ネットワーク割り振りベクトル（ＮＡＶ：a Network Allocation Vector）を追跡するために、ワイヤレス媒体の状態を決定し得る。ある態様では、ＮＡＶは、近隣ＢＳＳ中で設定され得る。ここに説明されるシステムは、ワイヤレス媒体がビジー状態であるかどうかを決定するために、ＮＡＶ、ＥＤ、ＰＤ、および他のメカニズムの任意の組み合わせをインプリメントし得ることが理解されるべきである。一例では、図７に例示されているように、（この例では、それぞれ「ＡＰ１」、「ＡＰ２」、および「ＡＰ３」とも、または一括して「ＡＰ」とも呼ばれる）メンバＡＰ−１、メンバＡＰ−２、およびメンバＡＰ−３は全て、時間期間７０２中にバックオフプロシージャを実行し得る。ある態様では、バックオフプロシージャを最初に成功裏に完了するＡＰは、マルチＡＰトリガを送り得る。例えば、ＡＰ１とＡＰ３とがバックオフプロシージャを遂行する前に、ＡＰ２がバックオフプロシージャを遂行する場合、ＡＰ２がトリガフレーム７０５を送り得る。この例では、ＡＰ１とＡＰ３との両方は、マルチＡＰトリガを送ることを控え得る。図８に関連してさらに説明されるように、マルチＡＰトリガ（例えば、トリガフレーム７０５）を送信するための、および／または同時送信を実行するためのタイミングはまた、バックオフプロシージャの結果に依存し得る。他の態様では、図８に関連してさらに説明されるように、いかなるバックオフプロシージャも実行されないことがあり得る。
【００５７】
[0064]トリガフレーム７０５を送信した後に、トリガフレームを送信したアクセスポイントは、トリガフレーム７０５によって示された時間において単一のチャネル上でデータ（例えば、ダウンリンクデータ）７１５ｂを送信し得る。ある特定の実施形態では、トリガフレーム７０５を送信したアクセスポイントは、トリガフレーム７０５送信の終了の時間とトリガフレーム送信の時間後の定数の経過時間との加算に基づいて、その時間を決定することができる。例えば、トリガフレーム送信とデータ送信との間の時間の隔たりは、予め定義された時間（例えば、ＳＩＦＳ）であることができる。このことから、図７では、調整データ送信のための時間は、トリガフレーム７０５の終了に追加のＳＩＦＳ値７１０を足したものとして示されている。同様に、トリガフレーム７０５を受信する１つまたは複数の他のアクセスポイントは、アクセスポイントによるトリガフレーム７０５送信の終了（または、トリガフレームを受信したアクセスポイントによるトリガフレーム受信の時間）と、トリガフレーム送信（または受信）の時間後の同じ定数の経過時間（例えば、ＳＩＦＳ）とに基づいて、その時間を決定することができる。いくつかの態様では、トリガフレームは、トリガフレーム送信の時間とは独立した時間を示し得る。例えば、いくつかの態様では、アクセスポイントは、それらのクロックを同期し得、およびトリガフレームは、例えば、オフセットを介して、同期されたクロックに基づく時間を示し得る。
【００５８】
[0065]トリガフレーム７０５に少なくとも部分的に応答して、複数のアクセスポイントのうちの１つまたは複数の他のアクセスポイントのうちの少なくともいくつかは、トリガフレームによって示された時間において単一のチャネル上でデータ（例えば、ダウンリンクデータ）を送信することができる。１つまたは複数の他のアクセスポイントからのこのデータ送信はその後、トリガフレームを送信したアクセスポイントによるデータ送信と同期される（例えば、同時である）ことができる。例えば、複数のアクセスポイントのうちの１つまたは複数の他のアクセスポイントの各々（例えば、図７の「メンバＡＰ−１」および「メンバＡＰ−３」）は、単一のチャネル上でデータを送信する前にそのキャリア感知（ＣＳ）状態がビジー状態であるかどうかをチェックするために、対応するチェッキングプロシージャを実行していることができる（例えば、物理ＣＣＡおよび仮想ＮＡＶの両方をモニタする）。図７によって概略的に例示されているように、「メンバＡＰ−１」は、そのＣＳ状態がビジー状態でないと決定するため、少なくとも部分的にそれに応答して、「メンバＡＰ−１」は、単一のチャネル上でのデータ送信を実行し、その一方で「メンバＡＰ−３」は、そのＣＳ状態がビジー状態であると決定するため、少なくとも部分的にそれに応答して、「メンバＡＰ−３」は、単一のチャネル上でのデータ送信を実行しない。
【００５９】
[0066]トリガフレームは、ここに説明されるある特定の実施形態におけるその使用を容易にする情報を含む制御フレームであることができる。例えば、トリガフレームは、ＩＥＥＥ８０２．１１ａｘと互換性がある制御フレームに基づくことができ、そのような情報を含むように修正される。ある特定の実施形態では、その情報は、次のうちの１つまたは複数を示す：トリガフレームに応答するアクセスポイントのセット（例えば、ＢＳＳ識別番号を使用する、例えば、アクセスポイントのクラスタ）、同時送信のためのアクセスカテゴリ、ダウンリンク（ＤＬ）マルチプルユーザ（ＭＵ）の同時送信のためのチャネル帯域幅、および同時送信のためのダウンリンク物理レイヤコンバージェンスプロシージャ（ＰＬＣＰ：physical layer convergence procedure）プロトコルデータユニット（ＰＰＤＵ）の持続時間。いくつかの態様では、情報を示すことは、その情報を示す値を含む１つまたは複数の所定の値に、トリガメッセージの１つまたは複数のフィールドを設定することを含み得る。
【００６０】
[0067]図８は、ここに説明されるある特定の実施形態にしたがった、（例えば、ワイヤレス媒体のチャネルを共有することによって）ワイヤレスネットワーク上でデータを送信する実例的な方法８００のフロー図である。いくつかの態様では、図８に関して以下に論述される方法８００は、ワイヤレスデバイス２０２によって実行され得る。例えば、いくつかの態様では、メモリ２０６中に記憶された命令は、図８に関して以下に論述される機能のうちの１つまたは複数を実行するようにプロセッサ２０４を構成し得る。
【００６１】
[0068]以下に論述される方法８００は、ワイヤレス媒体の単一のチャネルを通した同時の２つ以上のアクセスポイントの同時送信を調整するための例証的な方法を提供する。同時に送信することによって、ワイヤレス媒体のスループットは、先行する方法では生じないことがあり得る２つのアクセスポイント間の増大された並列性（parallelism）に起因して増大され得る。同時送信を容易にするために、アクセスポイントの各々によって送信される信号は、意図される受信するデバイスによって適正に受信され得る組み合わされた信号を形成するように成形され得る。このことから、組み合わされた信号が有益な方法で形成されるように、これらの同時送信をアラインすることは有益であることができる。
【００６２】
[0069]ブロック８１０では、第１のアクセスポイントと少なくとも１つの第２のアクセスポイントとがチャネルを通して同時に送信するであろう時間が決定される。いくつかの態様では、その決定は、少なくとも２つのアクセスポイント間でのネゴシエーションまたは調整に基づく。いくつかの態様では、その時間は、加算される２つの時間値から成り、ここで、それら値のうちの１つは、ＳＩＦＳ時間のような定数である。
【００６３】
[0070]ブロック８２０では、データ送信が、その時間においてチャネルを通して実行される。いくつかの態様では、データ送信は、その時間にショートインターフレームスペース（ＳＩＦＳ）時間のような定数オフセットを足したものにおいて実行される。
【００６４】
[0071]いくつかの態様では、方法８００を実行するデバイスは、どのアクセスポイントがクラスタリーダであるかを決定するために、他のアクセスポイントとネゴシエートし得る。いくつかの態様では、方法８００を実行するデバイスは、構成データを介して代わりにこの情報を受信し得る。いくつかの態様では、クラスタリーダアクセスポイントは、上述された同時送信の時間を示すトリガフレームを送信することを担う。非リーダアクセスポイントは、トリガフレームを受信し、およびそのトリガフレーム中に含まれたパラメータに基づいて同時送信に参加し得る。アクセスポイントがクラスタリーダであるか否かはまた、同時送信の前にアクセスポイントがバックオフプロシージャを実行するかどうかを決定し得る。例えば、非リーダアクセスポイントは、バックオフプロシージャを実行しないことがあり得るが、代わりに、事前のバックオフ内で同時送信に参加し得る。これらのアクセスポイントは、いくつかの態様では、送信する前に媒体（チャネルが）アイドル状態であるか否かをチェックし得る。
【００６５】
[0072]このことから、方法８００のいくつかの態様では、トリガフレームが生成され、およびワイヤレス媒体を通して送信される。いくつかの態様では、その時間は、所定の時間値に設定される。いくつかの態様では、その時間は、トリガフレームによって示された時間値に設定され（例えば、トリガフレームは、その時間を示す）、および少なくとも１つの第２のアクセスポイント（例えば、複数の第２のアクセスポイント）がその時間において送信することになることを示すように生成される。例えば、トリガフレームは、少なくとも１つの第２のアクセスポイントの少なくとも１つのＢＳＳ ＩＤを含み得る。代替として、トリガフレームは、クラスタ識別子を含み得、ここで、クラスタ識別子は、少なくとも１つの第２のアクセスポイントがその一部であるクラスタを識別する。
【００６６】
[0073]いくつかの態様では、方法８００は、その時間の前に単一のチャネル上でバックオフプロシージャを実行することを含む。バックオフプロシージャが成功裏に完了した場合、トリガフレームが、生成および送信され得る。その時間はまた、バックオフプロシージャの結果に依存し得る。バックオフプロシージャが成功裏に完了しなかった場合、バックオフプロシージャは、それが成功裏に完了するまで再開され得、その時間において、同時送信のための時間が決定され得、およびトリガフレームが、生成および送信され得る。
【００６７】
[0074]いくつかの態様では、トリガフレームは、生成および送信される代わりに受信される。例えば、いくつかの態様では、方法８００を実行するデバイスは、クラスタコントローラおよびリーダであり得る。いくつかの実施形態では、クラスタリーダが複数のアクセスポイントによる同時送信を制御し得ることから、これらの態様では、トリガフレームは、生成および送信され得る。他の態様では、例えば、方法８００を実行するデバイスがクラスタリーダでない場合、デバイスは、クラスタリーダアクセスポイント、またはいくつかの態様では別のデバイスからトリガフレームを受信し得る。いくつかの態様では、受信されるトリガフレームは、その時間を示すことができる。例えば、ブロック８１０におけるその時間の決定は、これらの態様では、受信されるトリガフレーム中に示された時間に基づき得る。
【００６８】
[0075]トリガフレームを受信する方法８００の態様では、いかなるバックオフプロシージャも実行されないことがあり得る。代わりに、トリガフレームを受信するデバイスは、その時間直前にチャネルがアイドル状態であるかどうかをチェックし得る。チャネルがアイドル状態である場合、ブロック８２０の送信が生じ得る。他の態様では、チャネルがその時間（またはその直前）においてアイドル状態でない場合、ブロック８２０の送信は生じないことがあり得る。このことから、ブロック８２０は、これらの態様では実行されない。
【００６９】
[0076]いくつかの態様では、受信されたトリガフレームは、そのトリガフレームが方法８００を実行するデバイスを識別するかどうかを決定するために復号される。識別する場合、デバイスは、トリガフレームがデバイスを識別することに基づいて、その時間において送信し得る（その時間の前に媒体がアイドル状態であると想定する）。いくつかの態様では、送信は、トリガフレーム中に示された時間にＳＩＦＳのような定数値を足したものに基づいて実行される。
【００７０】
[0077]トリガフレームが、上述された方法８００の様々な態様において生成および送信されるか、または受信されるかにかかわらず、トリガフレームは、次のうちの１つまたは複数を示す情報を示し得る：トリガフレームに応答するアクセスポイントのセット、同時送信のためのアクセスカテゴリ、同時送信のためのチャネル帯域幅、および同時送信のためのダウンリンク物理レイヤコンバージェンスプロシージャ（ＰＬＣＰ）プロトコルデータユニット（ＰＰＤＵ）の持続時間。ブロック８２０の同時送信はその後、これらのインジケーションのうちの１つまたは複数に基づいて実行され得る。
【００７１】
[0078]ここにさら開示されるのは、実行されると、ワイヤレス媒体の単一のチャネルを通した２つ以上のアクセスポイントの同時送信を調整するための方法を実行する命令を備える非一時的コンピュータ可読媒体であり、方法は、第１のアクセスポイントと少なくとも１つの第２のアクセスポイントとがチャネルを通して同時に送信するであろう時間を第１のアクセスポイントが決定することと、その時間においてチャネルを通して分散型ＭＩＭＯ通信のデータ部分を第１のアクセスポイントが送信することとを備える。ある態様では、少なくとも１つの第２のアクセスポイントは、複数の第２のアクセスポイントを備える。ある態様では、方法はさらに、トリガフレームを第１のアクセスポイントが生成することと、ワイヤレス媒体を通してトリガフレームを第１のアクセスポイントが送信することとを備える。ある態様では、その時間を決定することは、所定の時間値にその時間を設定することを備える。ある態様では、その時間を決定することは、トリガフレームによって示された時間値にその時間を設定することを備える。ある態様では、方法はさらに、少なくとも１つの第２のアクセスポイントがその時間において送信することになることを示すようにトリガフレームを第１のアクセスポイントが生成することを備える。ある態様では、方法はさらに、単一のチャネル上でバックオフプロシージャを第１のアクセスポイントが実行することを備え、ここにおいて、トリガフレームを送信することは、バックオフプロシージャの完了に応答するものである。ある態様では、方法はさらに、トリガフレームを第１のアクセスポイントが受信することを備える。ある態様では、トリガフレームは、その時間を示す。ある態様では、方法はさらに、該送信することより前にチャネルがアイドル状態であるかどうかを第１のアクセスポイントが決定することを備え、ここにおいて、該送信することは、チャネルがアイドル状態であることに応答するものである。ある態様では、方法はさらに、トリガフレームが第１のアクセスポイントを識別するかどうかを決定するために、トリガフレームを第１のアクセスポイントが復号することを備え、ここにおいて、その時間において該送信することは、トリガフレームが第１のアクセスポイントを識別することに基づく。ある態様では、その時間を決定することは、トリガフレームによって示された時間と定数値との加算に基づく。ある態様では、トリガフレームは、次のうちの１つまたは複数を示す情報を含むように生成される：トリガフレームに応答するアクセスポイントのセット、同時送信のためのアクセスカテゴリ、同時送信のためのチャネル帯域幅、および同時送信のためのダウンリンク物理レイヤコンバージェンスプロシージャ（ＰＬＣＰ）プロトコルデータユニット（ＰＰＤＵ）の持続時間。ある態様では、方法はさらに、第１のアクセスポイントがトリガフレームを送信することになるかどうかを決定するために、少なくとも１つの第２のアクセスポイントとネゴシエートすることと、該ネゴシエートすることに応答してトリガフレームを送信することとを備える。
【００７２】
[0079]ここにさら開示されるのは、実行されると、ワイヤレス媒体の単一のチャネルを通した複数のアクセスポイントによる送信を調整する方法を実行する命令を備える非一時的コンピュータ可読媒体であり、方法は、第１のアクセスポイントと少なくとも１つの第２のアクセスポイントとがチャネルを通して同時に送信するであろう時間をデバイスが決定することと、トリガメッセージをデバイスが送信することとを備える。ある態様では、その時間を決定することは、所定の時間値にその時間を設定することを備える。ある態様では、その時間を決定することは、トリガメッセージによって示された時間値にその時間を設定することを備える。ある態様では、デバイスは、局である。ある態様では、デバイスは、アクセスポイントである。ある態様では、その時間は、トリガメッセージを該送信することの終了後のＳＩＦＳである。ある態様では、トリガメッセージは、次のうちの１つまたは複数を示す情報を含むようにデバイスによって生成される：トリガメッセージに応答するアクセスポイントのセット、同時送信のためのアクセスカテゴリ、同時送信のためのチャネル帯域幅、および同時送信のためのダウンリンク物理レイヤコンバージェンスプロシージャ（ＰＬＣＰ）プロトコルデータユニット（ＰＰＤＵ）の持続時間。ある態様では、方法はさらに、第１のアクセスポイントと少なくとも１つの第２のアクセスポイントとについての対応する識別子を介して第１のアクセスポイントと少なくとも１つの第２のアクセスポイントとを識別するように、トリガメッセージを生成することを備える。ある態様では、識別子は、ＢＳＳ ＩＤ、局アドレス、等のうちの１つである。
専門用語
【００７３】
[0080]上記の説明では、参照番号が、様々な用語に関連して使用されていることがあり得る。用語が参照番号に関連して使用される場合、これは、図のうちの１つまたは複数に示されている特定の要素を指すことを意味され得る。用語が参照番号なしに使用される場合、これは、いずれの特定の図も限定することなしに用語を全般的に指すことを意味され得る。
【００７４】
[0081]ここに使用される場合、項目のリスト「のうちの少なくとも１つ」を指すフレーズは、単一のメンバを含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることを意図される。
【００７５】
[0082]上述された方法の様々な動作は、様々なハードウェアおよび／またはソフトウェアコンポーネント（１つ以上）、回路、および／またはモジュール（１つ以上）のような、それら動作を実行することが可能である任意の適した手段によって実行され得る。概して、図面に例示されているいずれの動作も、それら動作を実行することが可能である対応する機能的な手段によって実行され得る。
【００７６】
[0083]本開示に関連して説明された様々な例示的な論理ブロック、モジュールおよび回路は、汎用プロセッサ、デジタルシグナルプロセッサ（ＤＳＰ）、特定用途向け集積回路（ＡＳＩＣ）、フィールドプログラマブルゲートアレイ信号（ＦＰＧＡ）または他のプログラマブルロジックデバイス（ＰＬＤ）、ディスクリートゲートまたはトランジスタロジック、ディスクリートハードウェアコンポーネントあるいはここに説明された機能を実行するように設計されたそれらの任意の組み合わせを用いてインプリメントまたは実行され得る。汎用プロセッサは、マイクロプロセッサまたは任意の市販のプロセッサ、コントローラ、マイクロコントローラあるいはステートマシンであり得る。プロセッサはまた、コンピューティングデバイスの組み合わせ（例えば、ＤＳＰとマイクロプロセッサとの組み合わせ、複数のマイクロプロセッサ、ＤＳＰコアと連携した１つまたは複数のマイクロプロセッサ、あるいは任意の他のそのような構成）としてインプリメントされ得る。
【００７７】
[0084]１つまたは複数の態様では、説明された機能は、ハードウェア、ソフトウェア、ファームウェア、またはそれらの任意の組み合わせにおいてインプリメントされ得る。ソフトウェアにおいてインプリメントされる場合、それら機能は、１つまたは複数の命令またはコードとして、コンピュータ可読媒体上に記憶され得るか、またはコンピュータ可読媒体を通して送信され得る。
【００７８】
[0085]ここに説明された機能は、プロセッサ可読またはコンピュータ可読媒体上に１つまたは複数の命令として記憶され得る。「コンピュータ可読媒体」という用語は、コンピュータまたはプロセッサによってアクセスされることができる任意の利用可能な媒体を指す。限定ではなく例として、そのような媒体は、ＲＡＭ、ＲＯＭ、ＥＥＰＲＯＭ（登録商標）、フラッシュメモリ、ＣＤ−ＲＯＭまたは他の光ディスク記憶装置、磁気ディスク記憶装置または他の磁気記憶デバイス、あるいはデータ構造もしくは命令の形態で所望されるプログラムコードを記憶するために使用されることができ、且つコンピュータまたはプロセッサによってアクセスされることができる任意の他の媒体を備え得る。ディスク（disk）およびディスク（disc）は、ここに使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。コンピュータ可読媒体が、有形および非一時的であり得ることに留意されたい。「コンピュータプログラム製品」という用語は、コンピューティングデバイスまたはプロセッサによって実行、処理、または計算され得るコードまたは命令（例えば、「プログラム」）と組み合わされたコンピューティングデバイスまたはプロセッサを指す。ここに使用される場合、「コード」という用語は、コンピューティングデバイスまたはプロセッサによって実行可能であるソフトウェア、命令、コードまたはデータを指し得る。
【００７９】
[0086]ソフトウェアあるいは命令はまた、送信媒体を通して送信され得る。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波のようなワイヤレス技術は、送信媒体の定義中に含まれる。
【００８０】
[0087]ここに開示された方法は、説明された方法を達成するための１つまたは複数のステップあるいはアクションを備える。方法のステップおよび／またはアクションは、特許請求の範囲から逸脱することなしに互いと置き換えられ得る。言い換えれば、ステップまたはアクションの特定の順序が、説明されている方法の適正な動作のために必要とされない限り、特定のステップおよび／またはアクションの順序および／または使用は、特許請求の範囲から逸脱することなしに修正され得る。
【００８１】
[0088]「決定すること」という用語は、幅広い多様なアクションを包含し、したがって、「決定すること」は、算出すること、計算すること、処理すること、導出すること、調査すること、ルックアップすること（例えば、表、データベースまたは別のデータ構造でルックアップすること）、確定すること、および同様のものを含むことができる。また、「決定すること」は、受信すること（例えば、情報を受信すること）、アクセスすること（例えば、メモリ中のデータにアクセスすること）、および同様のものを含むことができる。また、「決定すること」は、解決すること、選択すること、選ぶこと、確立すること、および同様のものを含むことができる。
【００８２】
[0089]「〜に基づいて」というフレーズは、そうではないと明確に規定されていない限り、「〜のみに基づいて」を意味しない。言い換えれば、「〜に基づいて」というフレーズは、「〜のみに基づいて」と「少なくとも〜に基づいて」との両方を説明する。
【００８３】
[0090]特許請求の範囲は、上記に例示されたまさにその構成およびコンポーネントに限定されないことが理解されるべきである。様々な修正、変更および変形が、特許請求の範囲から逸脱することなしに、ここに説明されたシステム、方法、および装置の配置、動作および詳細においてなされ得る。
以下に本願の出願当初の特許請求の範囲に記載された発明を付記する。
［Ｃ１］
ワイヤレス媒体の単一のチャネルを通した同時送信を調整する方法であって、前記方法は、
第１のワイヤレスデバイスと第２のワイヤレスデバイスとが分散型多入力および多出力（ＭＩＭＯ）通信のためのデータを前記単一のチャネルを通して同時に送信するであろう時間を前記第１のワイヤレスデバイスが決定することと、
前記分散型ＭＩＭＯ通信のための第１のデータ部分を前記決定された時間において前記第１のワイヤレスデバイスから前記チャネルを通して送信することと
を備える、方法。
［Ｃ２］
前記第１のワイヤレスデバイスは、第１の基本サービスセット（ＢＳＳ）を有する第１のアクセスポイントであり、および前記第２のワイヤレスデバイスは、第２のＢＳＳを有する第２のアクセスポイントであり、および前記分散型ＭＩＭＯ通信は、前記第２のＢＳＳ中に含まれる１つまたは複数のワイヤレス局と前記第２のアクセスポイントとの間での通信を容易にするための通信を前記第１のアクセスポイントが前記第２のアクセスポイントに送信することを備える、Ｃ１に記載の方法。
［Ｃ３］
第１のフレームを前記第１のワイヤレスデバイスが生成することと、
前記第１のワイヤレスデバイスと前記第２のワイヤレスデバイスとが前記決定された時間において送信することになることを示すための前記第１のフレームを、前記第１のワイヤレスデバイスから前記第２のワイヤレスデバイスに送信することと
をさらに備える、Ｃ１に記載の方法。
［Ｃ４］
前記第１のフレームは、前記決定された時間が、
前記第１のワイヤレスデバイスと前記第２のワイヤレスデバイスとによって設定される所定の時間値と、
前記第１のフレーム中に含まれる示された時間値と、
前記第１のフレームの受信後のショートインターフレームスペース（ＳＩＦＳ）と
のうちの１つにおいて生じることを示す、Ｃ３に記載の方法。
［Ｃ５］
バックオフプロシージャは、前記単一のチャネルを通して実行され、および前記第１のワイヤレスデバイスは、前記バックオフプロシージャの完了に応答して前記第１のフレームを送信する、Ｃ３に記載の方法。
［Ｃ６］
第１のフレームを前記第１のワイヤレスデバイスが生成することと、
前記単一のチャネルがアイドル状態であると前記第１のワイヤレスデバイスが決定することと、
前記単一のチャネルがアイドル状態であると決定することに応答して、前記第１のフレームを前記第１のワイヤレスデバイスから送信することと
をさらに備える、Ｃ１に記載の方法。
［Ｃ７］
第１のフレームを前記第２のワイヤレスデバイスから前記第１のワイヤレスデバイスが受信することをさらに備える、Ｃ１に記載の方法。
［Ｃ８］
前記第１のフレームは、前記決定された時間が、
前記第１のワイヤレスデバイスと前記第２のワイヤレスデバイスとによって設定される所定の時間値と、
前記第１のフレーム中に含まれる示された時間値と、
前記第１のフレームの受信後のショートインターフレームスペース（ＳＩＦＳ）と
のうちの１つにおいて生じるというインジケーションを含み、前記第１のワイヤレスデバイスは、前記インジケーションに基づいて前記時間を決定する、Ｃ７に記載の方法。
［Ｃ９］
前記受信された第１のフレームが前記第１のワイヤレスデバイスを識別するかどうかを決定するために、前記受信された第１のフレームを前記第１のワイヤレスデバイスが復号すること
をさらに備え、前記第１のワイヤレスデバイスは、前記受信された第１のフレームが前記第１のワイヤレスデバイスを識別すると決定することに応答して、前記決定された時間において送信する、Ｃ７に記載の方法。
［Ｃ１０］
第１のフレームに応答するワイヤレスデバイスのセットと、
前記同時送信のためのアクセスカテゴリと、
前記同時送信のためのチャネル帯域幅と、
前記同時送信のためのダウンリンク物理レイヤコンバージェンスプロシージャ（ＰＬＣＰ）プロトコルデータユニット（ＰＰＤＵ）の持続時間と
のうちの１つまたは複数を示す情報を含むように前記第１のワイヤレスデバイスが前記第１のフレームを生成することをさらに備える、Ｃ１に記載の方法。
［Ｃ１１］
前記第１のワイヤレスデバイスが第１のフレームを送信するであろうと、前記第１のワイヤレスデバイスと前記第２のワイヤレスデバイスとの間での１つまたは複数の通信に基づいて決定することと、
前記第１のワイヤレスデバイスが前記第１のフレームを送信するであろうと決定することに応答して、前記第１のフレームを前記第１のワイヤレスデバイスが生成することと、  前記第１のフレームを前記第１のワイヤレスデバイスから送信することと
をさらに備える、Ｃ１に記載の方法。
［Ｃ１２］
ワイヤレス媒体の単一のチャネルを通した同時送信を調整する方法であって、前記方法は、
第１のアクセスポイントと第２のアクセスポイントとが前記チャネルを通して同時に送信するであろう時間を前記第１のアクセスポイントが決定することと、
第１のメッセージを前記第１のアクセスポイントが送信することと
を備える、方法。
［Ｃ１３］
前記時間を決定することは、
所定の時間値に前記時間を前記第１のアクセスポイントが設定することと、
前記第１のメッセージを送信した後のショートインターフレームスペース（ＳＩＦＳ）に前記時間を前記第１のアクセスポイントが設定することと
のうちの１つを備える、Ｃ１２に記載の方法。
［Ｃ１４］
前記第１のメッセージに応答するアクセスポイントのセットと、
前記同時送信のためのアクセスカテゴリと、
前記同時送信のためのチャネル帯域幅と、
前記同時送信のためのダウンリンク物理レイヤコンバージェンスプロシージャ（ＰＬＣＰ）プロトコルデータユニット（ＰＰＤＵ）の持続時間と
のうちの１つまたは複数を示す情報を含むように前記第１のアクセスポイントが前記第１のメッセージを生成することをさらに備える、Ｃ１２に記載の方法。
［Ｃ１５］
前記第１のアクセスポイントと前記第２のアクセスポイントとを対応する識別子を介して識別するように、前記第１のアクセスポイントが前記第１のメッセージを生成することをさらに備え、前記対応する識別子は、基本サービスセット（ＢＳＳ）識別子と局アドレスとのうちの１つである、Ｃ１２に記載の方法。
［Ｃ１６］
ワイヤレス媒体の単一のチャネルを通した同時送信を調整するための装置であって、前記装置は、前記装置に、
前記装置と第２のワイヤレスデバイスとが分散型多入力および多出力（ＭＩＭＯ）通信のためのデータを前記単一のチャネルを通して同時に送信するであろう時間を決定することと、
前記分散型ＭＩＭＯ通信のための第１のデータ部分を前記決定された時間において前記チャネルを通して送信することと
を行わせるように構成された電子ハードウェアプロセッサを備える、装置。
［Ｃ１７］
前記装置は、第１の基本サービスセット（ＢＳＳ）を有する第１のアクセスポイントであり、および前記第２のワイヤレスデバイスは、第２のＢＳＳを有する第２のアクセスポイントであり、および前記分散型ＭＩＭＯ通信は、前記第２のＢＳＳ中に含まれる１つまたは複数のワイヤレス局と前記第２のアクセスポイントとの間での通信を容易にするための通信を前記第１のアクセスポイントが前記第２のアクセスポイントに送信することを備える、Ｃ１６に記載の装置。
［Ｃ１８］
前記電子ハードウェアプロセッサは、前記装置に、
第１のフレームを生成することと、
前記装置と前記第２のワイヤレスデバイスとが前記決定された時間において送信することになることを示すための前記第１のフレームを、前記装置から前記第２のワイヤレスデバイスに送信することと
を行わせるようにさらに構成される、Ｃ１６に記載の装置。
［Ｃ１９］
前記第１のフレームは、前記決定された時間が、
前記装置と前記第２のワイヤレスデバイスとによって設定される所定の時間値と、
前記第１のフレーム中に含まれる示された時間値と、
前記第１のフレームの受信後のショートインターフレームスペース（ＳＩＦＳ）と
のうちの１つにおいて生じることを示す、Ｃ１８に記載の装置。
［Ｃ２０］
バックオフプロシージャは、前記単一のチャネルを通して実行され、および前記装置は、前記バックオフプロシージャの完了に応答して前記第１のフレームを送信する、Ｃ１８に記載の装置。
［Ｃ２１］
前記電子ハードウェアプロセッサは、前記装置に、
第１のフレームを生成することと、
前記単一のチャネルがアイドル状態であると決定することと、
前記単一のチャネルがアイドル状態であると決定することに応答して、前記第１のフレームを前記装置から送信することと
を行わせるようにさらに構成される、Ｃ１６に記載の装置。
［Ｃ２２］
前記電子ハードウェアプロセッサは、前記装置に、第１のフレームを前記第２のワイヤレスデバイスから受信することを行わせるようにさらに構成される、Ｃ１６に記載の装置。
［Ｃ２３］
前記第１のフレームは、前記決定された時間が、
前記装置と前記第２のワイヤレスデバイスとによって設定される所定の時間値と、
前記第１のフレーム中に含まれる示された時間値と、
前記第１のフレームの受信後のショートインターフレームスペース（ＳＩＦＳ）と
のうちの１つにおいて生じるというインジケーションを含み、前記装置は、前記インジケーションに基づいて前記時間を決定する、Ｃ２２記載の装置。
［Ｃ２４］
前記電子ハードウェアプロセッサは、前記装置に、
前記受信された第１のフレームが前記装置を識別するかどうかを決定するために、前記受信された第１のフレームを復号すること
を行わせるようにさらに構成され、前記装置は、前記受信された第１のフレームが前記装置を識別すると決定することに応答して、前記決定された時間において送信する、Ｃ２２に記載の装置。
［Ｃ２５］
前記電子ハードウェアプロセッサは、前記装置に、
第１のフレームに応答するワイヤレスデバイスのセットと、
前記同時送信のためのアクセスカテゴリと、
前記同時送信のためのチャネル帯域幅と、
前記同時送信のためのダウンリンク物理レイヤコンバージェンスプロシージャ（ＰＬＣＰ）プロトコルデータユニット（ＰＰＤＵ）の持続時間と
のうちの１つまたは複数を示す情報を含むように前記第１のフレームを生成することを行わせるようにさらに構成される、Ｃ１６に記載の装置。
［Ｃ２６］
前記電子ハードウェアプロセッサは、前記装置に、
前記装置が第１のフレームを送信するであろうと、前記装置と前記第２のワイヤレスデバイスとの間での１つまたは複数の通信に基づいて決定することと、
前記装置が前記第１のフレームを送信するであろうと決定することに応答して、前記第１のフレームを生成することと、
前記第１のフレームを送信することと
を行わせるようにさらに構成される、Ｃ１６に記載の装置。
［Ｃ２７］
ワイヤレス媒体の単一のチャネルを通した同時送信を調整するための装置であって、前記装置は、前記装置に、
前記装置と少なくとも第２のアクセスポイントとが前記チャネルを通して同時に送信するであろう時間を決定することと、
第１のメッセージを送信することと
を行わせるように構成された電子ハードウェアプロセッサを備える、装置。
［Ｃ２８］
前記時間を決定することは、
所定の時間値に前記時間を設定することと、
前記装置が前記第１のメッセージを送信した後のショートインターフレームスペース（ＳＩＦＳ）に前記時間を設定することと
のうちの１つを備える、Ｃ２７に記載の装置。
［Ｃ２９］
前記電子ハードウェアプロセッサは、前記装置に、
前記第１のメッセージに応答するアクセスポイントのセットと、
前記同時送信のためのアクセスカテゴリと、
前記同時送信のためのチャネル帯域幅と、
前記同時送信のためのダウンリンク物理レイヤコンバージェンスプロシージャ（ＰＬＣＰ）プロトコルデータユニット（ＰＰＤＵ）の持続時間と
のうちの１つまたは複数を示す情報を含むように前記第１のメッセージを生成することを行わせるようにさらに構成される、Ｃ２７に記載の装置。
［Ｃ３０］
前記電子ハードウェアプロセッサは、前記装置に、前記装置と前記第２のアクセスポイントとを対応する識別子を介して識別するように、前記第１のメッセージを生成することを行わせるようにさらに構成され、前記対応する識別子は、基本サービスセット（ＢＳＳ）識別子と局アドレスとのうちの１つである、Ｃ２７に記載の装置。
【図１】
0006828173.tif 000002
【図２】
0006828173.tif 000003
【図３】
0006828173.tif 000004
【図４】
0006828173.tif 000005
【図５】
0006828173.tif 000006
【図６】
0006828173.tif 000007
【図７】
0006828173.tif 000008
【図８】
0006828173.tif 000009